(57)【要約】【課題】本発明は、船首と、船首の反対側の船尾と、船底とを有する多胴型漁船に関するものである。この船は、組み合わせて作動可能に接続された一対の離間したポンツーンを備える。船は、一対のポンツーンの間の空間に選択的に広がるように構成された、船の船首近くの第１のゲートを備える。船は、一対のポンツーンの間の空間に選択的に広がるように構成された、船の船尾近くの第２のゲートを備える。船は、船の船底の近くで、一対のポンツーンの間の空間に選択的に広がるように構成された第３のゲートを備える。第１のゲートと、第２のゲートと、第３のゲートと、一対のポンツーンとにより、魚を捕獲するためのエンクロージャを形成する。【選択図】図１
2012533466.tif 000002
【特許請求の範囲】
【請求項１】
船首と、船首の反対側の船尾と、船底とを有する多胴型漁船であって、
作動可能に接続された一対の離間したポンツーンと、
前記一対のポンツーンの間の空間に選択的に広がるように構成された、当該船の前記船首の近くにある第１のゲートと、
前記一対のポンツーンの間の空間に選択的に広がるように構成された、当該船の前記船尾の近くにある第２のゲートと、
当該船の前記船底の近くで、前記一対のポンツーンの間の空間に選択的に広がるように構成された第３のゲートと、を備え、
前記第１のゲートと、前記第２のゲートと、前記第３のゲートと、前記一対のポンツーンとにより、魚を捕獲するためのエンクロージャを形成している、船。
【請求項２】
前記エンクロージャに魚が入ることができるように、前記第１のゲート、前記第２のゲート、前記第３のゲートのうち少なくとも１つを選択的に開放する手段をさらに備える、請求項１に記載の船。
【請求項３】
前記第１のゲート、前記第２のゲート、および前記第３のゲートが周囲の水から少なくとも部分的に取り除かれている開位置から、魚が前記エンクロージャから抜け出ることを阻止する閉位置に、前記第１のゲート、前記第２のゲート、および前記第３のゲートを選択的に動かす手段を備える、請求項１に記載の船。
【請求項４】
魚を引き寄せるため、餌を水の中に選択的に放出するように構成された餌用ポンプをさらに備える、請求項１に記載の船。
【請求項５】
選択的に光を発する照明器具をさらに備え、該照明器具は、前記エンクロージャを少なくとも部分的に照らすように位置付けられている、請求項１に記載の船。
【請求項６】
前記一対のポンツーンは少なくとも部分的に中空であり、
当該船は、前記一対のポンツーン内に配置された一対のバラスト・ポンプをさらに備え、この一対のバラスト・ポンプは、前記一対のポンツーン内への水の送り込み、およびそこからの水の送り出しを選択的に行うように構成されており、これにより当該船の浮力を制御する、請求項１に記載の船。
【請求項７】
前記一対のポンツーンを水の中に選択的に沈める手段を備え、
当該船がより多く沈水されるにつれて前記エンクロージャの大きさが増加し、これにより、魚をその中に捕獲することができる空間が増加する、請求項１に記載の船。
【請求項８】
前記第１のゲートを取り付けると共に、選択的に降下させるための第１のゲート機構をさらに備え、
前記第１のゲート機構は、当該船の前記船首の近くに配置されており、
前記第１のゲートと前記第１のゲート機構のうちの一方は、細長いフレーム部を有し、前記第１のゲートと前記第１のゲート機構のうちの他方は、前記細長フレーム部を受け取るような形状の細長いブラケットを有し、前記第１のゲートは、前記第１のゲート機構に摺動可能に取り付けられており、
前記細長フレーム部と前記ブラケットのうちの一方は、前記第１のゲートが水の外にでている完全上昇位置から、前記第１のゲートが前記一対のポンツーンの間の空間を当該船の前記船首近くで塞いでいる完全下降位置まで、前記第１のゲートが動くことができるように、配置されている、請求項１に記載の船。
【請求項９】
前記第２のゲートを取り付けると共に、選択的に降下させるための第２のゲート機構をさらに備え、
前記第２のゲート機構は、当該船の前記船尾の近くに配置されており、
前記第２のゲートと前記第２のゲート機構のうちの一方は、細長いフレーム部を有し、前記第２のゲートと前記第２のゲート機構のうちの他方は、前記第２のゲートと前記第２のゲート機構のうちの前記一方の前記細長フレーム部を受け取るような形状の細長いブラケットを有し、前記第２のゲートは、前記第２のゲート機構に摺動可能に取り付けられており、
前記第２のゲート機構は、前記第２のゲートが水の外にでている完全上昇位置から、当該船の前記船尾近くで前記第２のゲートが前記一対のポンツーンの間の空間に広がる完全下降位置まで、前記第２のゲートが動くことができるように、配置されている、請求項８に記載の船。
【請求項１０】
前記第３のゲートは、軸方向に回転可能な複数のゲートと、これらに作動可能に接続された複数のモータとを含んでおり、
前記複数のモータは、前記複数のゲートを選択的に開閉するように構成されている、請求項１に記載の船。
【請求項１１】
当該船は双胴船である、請求項１に記載の船。
【請求項１２】
前記エンクロージャを、捕獲された魚をその中に含む部分に選択的に区分するように構成された複数の内部ゲートをさらに備え、これにより、そのような捕獲された魚をぎっしり詰めた状態にする、請求項１に記載の船。
【請求項１３】
前記一対のポンツーンの間に広がるデッキと、内部ゲートと、この内部ゲートを取り付けると共に選択的に降下させるための内部ゲート機構とをさらに備え、
前記内部ゲートは、前記デッキと、前記第３のゲートと、前記一対のポンツーンとの間の空間に広がる形状になっており、
前記内部ゲート機構と前記内部ゲートのうちの一方は、前記エンクロージャに隣接して配置されて前記船首と前記船尾との間に少なくとも部分的に延びる、ブラケットと接続部のうちの一方を有し、前記内部ゲート機構と前記内部ゲートのうちの他方は、前記ブラケットと前記接続部のうちの他方を有し、
前記ブラケットは、前記接続部を受け取るような形状になっており、これにより、前記内部ゲートは摺動可能に前記内部ゲート機構に取り付け可能である、請求項１に記載の船。
【請求項１４】
漁獲用の漁船であって、
船体内部と、この船体内部および周囲の水に連通する開口部とを有する、中空の船体と、
前記開口部に隣接するゲートであって、開くことで、前記船体に少なくとも部分的に水が進入することを可能にするように構成されており、これにより、当該船はより多く沈水するようになる、ゲートと、
前記船体内部に魚を引き寄せる手段と、を備え、
前記ゲートは、選択的に閉じて前記魚を捕獲するように構成されている、漁船。
【請求項１５】
魚を引き寄せる前記手段はポンプを有し、該ポンプは、前記開口部に隣接する水の中に餌を投入するように配置されている、請求項１４に記載の漁船。
【請求項１６】
魚を引き寄せる前記手段は、前記船体内部を少なくとも部分的に照らすように構成された照明を有している、請求項１４に記載の漁船。
【請求項１７】
魚を引き寄せる前記手段は照明を有し、これは、魚を引き寄せるために当該船の外部を少なくとも部分的に照らすように構成され、さらに、光を前記船体内部に向かって徐々に動かして、その中に魚を誘導するように構成されている、請求項１４に記載の漁船。
【請求項１８】
魚を引き寄せる前記手段は、前記船体内部を少なくとも部分的に照らすように構成された照明をさらに有している、請求項１５記載の漁船。
【請求項１９】
船首と、船首の反対側の船尾と、船底と、一対のポンツーンとを有する双胴型漁船のための漁獲方法であって、
第１のゲート、第２のゲート、および第３のゲートを備える前記漁船であって、これらのゲートを、該船の前記船首、前記船尾、前記船底にそれぞれ隣接させて、前記一対のポンツーンの間で選択的に位置決め可能かつ展開可能であり、これによりエンクロージャが形成される、前記漁船を構成することと、
前記一対のポンツーンの間で、前記第１のゲート、前記第２のゲート、前記第３のゲートのうち少なくとも１つを位置決めすること、および展開させることと、
前記ゲートのうち１つが少なくとも部分的に開いている間に、魚を引き寄せるため、餌と光のうち１つを前記ゲートの前記１つに隣接させて配備することと、
前記エンクロージャ内で前記魚が捕獲されるように、前記一対のポンツーンの間で、前記ゲートのうち前記１つを除くゲートを位置決めすること、および展開させることと、を含む方法。
【発明の詳細な説明】
【技術分野】
【０００１】
本発明は、船に関するものである。特に、本発明は、漁船およびそれを用いた漁獲方法に関する。本明細書に記載の漁船および方法は、網なし漁、あるいは浮き魚漁と呼んでもよい。
【背景技術】
【０００２】
関連出願の相互参照
本出願は、２００９年７月２０日に米国特許商標庁に出願された仮特許出願番号６１／２７１，２２３の利益を主張するものである。その優先権を主張し、その開示は参照により本明細書に組み込まれる。
【０００３】
魚を捕獲するための多くのさまざまな種類の漁船およびシステムがある。しかしながら、一部の用途では、改良された漁船およびそれを用いた漁獲方法が必要である。
【発明の概要】
【発明が解決しようとする課題】
【０００４】
本発明の目的は、改良された漁船およびそれを用いた漁獲方法を提供することである。
【課題を解決するための手段】
【０００５】
そこで、船首と、船首と反対側の船尾と、船底とを有する多胴型漁船を提供する。この船は、作動可能に接続された一対の離間したポンツーンを備える。船は、一対のポンツーンの間の空間に選択的に広がるように構成された、船の船首近くの第１のゲートを備える。船は、一対のポンツーンの間の空間に選択的に広がるように構成された、船の船尾近くの第２のゲートを備える。船は、船の船底の近くで、一対のポンツーンの間の空間に選択的に広がるように構成された第３のゲートを備える。第１のゲートと、第２のゲートと、第３のゲートと、一対のポンツーンとにより、魚を捕獲するためのエンクロージャを形成する。
【０００６】
さらに、漁獲用の漁船を提供する。この船は、船体内部と、この船体内部および周囲の水に連通する開口部とを有する中空の船体を備える。船は、上記開口部に隣接するゲートを備える。このゲートは、開くことで、船体に少なくとも部分的に水が進入することを可能にするように構成されている。これにより、船はより多く沈水するようになる。船は、船体内部に魚を引き寄せる手段を備える。上記ゲートは、選択的に閉じて、上記魚を捕獲するように構成されている。
【０００７】
さらに、双胴型漁船のための漁獲方法を提供する。船は、船首と、船首の反対側の船尾と、船底と、一対のポンツーンとを有する。当該方法は、第１のゲート、第２のゲート、および第３のゲートを備える漁船であって、これらのゲートを、船首、船尾、船底にそれぞれ隣接させて、一対のポンツーンの間で選択的に位置決め可能かつ展開可能である、漁船を構成することを含む。これによりエンクロージャが形成される。当該方法は、一対のポンツーンの間で、第１のゲート、第２のゲート、および第３のゲートのうち少なくとも１つを位置決めすること、および展開させることを含む。当該方法は、上記ゲートのうち１つが少なくとも部分的に開いている間に、魚を引き寄せるため、餌と光のうち１つを上記ゲートのうち上記１つに隣接させて配備することを含む。当該方法は、エンクロージャ内で上記魚が捕獲されるように、一対のポンツーンの間で、上記ゲートのうち上記１つを除くゲートを位置決めすること、および展開させることを含む。
【０００８】
本発明は、その好ましい実施形態について、単なる例として、添付の図面を参照して以下で行われる説明によって、より容易に理解されるであろう。
【図面の簡単な説明】
【０００９】
【図１】一実施形態による多胴型漁船の簡略化した側面図であり、一対のポンツーンを有し、低抵抗モードにある。
【図２】図１に示す漁船の正面図であり、第１の外側ゲートを完全上昇位置で示しており、第１の外側ゲートは網を有している。
【図３】図２に示す第１の外側ゲートの端面図であり、第１の外側ゲートを切り離して示している。
【図４】図１に示す漁船の背面図であり、第２の外側ゲートを完全上昇位置で示しており、第２の外側ゲートは網を有している。
【図５】船の一対のポンツーンのうち一方に取り付けられた、図４に示す第３のゲート機構の一部を拡大した背面図である。
【図６】図１に示す漁船の上面図である。
【図７】図６に示す漁船の線７‐７に沿った端断面図であり、一対のポンツーン内に配置された一対のバラスト制御機構を示しており、一対のバラスト制御機構は浮揚モードにある。
【図８】図７に示す一対のバラスト制御機構のうち一方の一部を拡大した端断面図であり、モータと、それに接続されたフランジを閉位置で示している。
【図９】図６に示す漁船の線７‐７に沿った端断面図であり、沈水モードにある一対のバラスト制御機構と、一部沈水した漁船を示している。
【図１０】図９に示す一対のバラスト制御機構のうち一方の一部を拡大した端断面図であり、モータと、それに接続されたフランジを開位置で示している。
【図１１】図９に示す漁船の側面図である。
【図１２】図１１に示す漁船の正面図であり、第１の外側ゲートを完全下降位置で示している。
【図１３】図１１に示す漁船の線１３‐１３に沿った端断面図であり、第３の外側ゲートを途中下降位置で示している。
【図１４】図１１に示す漁船の線１３‐１３に沿った端断面図であり、第３の外側ゲートを完全下降位置で示している。
【図１５】図１４に示す漁船の簡略化した部分断面側面図であり、餌が第２の外側ゲートに隣接して放出されて、第１の外側ゲート、第２の外側ゲート、および第３の外側ゲートにより構成される船のエンクロージャの中に入り、また、魚がエンクロージャの中に入り、第２の外側ゲートは途中下降位置にある。
【図１６】図１５に示す漁船の簡略化した部分断面側面図であり、第２の外側ゲートが完全下降位置にあり、漁船内に魚が捕獲されている。
【図１７】第２の実施形態による漁船の簡略化した部分立断面図であり、船はエンクロージャを照らす照明器具を備え、その光に引き寄せられることにより魚がエンクロージャに入る。
【図１８】第３の実施形態による漁船の簡略化した部分立断面図であり、第２の船がエンクロージャを照らす照明器具を備え、その光に引き寄せられることにより魚がエンクロージャに入る。
【図１９】第４の実施形態による単胴型漁船の簡略化した端断面図であり、漁船は低抵抗モードにあり、一対のバラスト制御機構は浮揚モードにある。
【図２０】図１９に示す漁船の端断面図であり、沈水モードにある一対のバラスト制御機構を示しており、一対のバラスト制御機構は開位置にあるフランジを有し、漁船は一部沈水している。
【図２１】図２０に示す漁船の端断面図であり、水と魚で部分的に満たされた漁船の船体内部を示し、一対のバラスト制御機構の閉位置にあるフランジを示し、船体内部から水を排出させて船を図１９の低抵抗モードに戻すポンプを示している。
【図２２】第５の実施形態による漁船の簡略化した部分断面側面図であり、漁船は部分沈水モードにあり、その船底に、軸方向に回転可能な複数のゲートを閉位置で備える。
【図２３】図２２に示す漁船の部分概略底面図であり、軸方向に回転可能な複数のゲートと、それらにそれぞれ接続された複数のモータとを備える。
【図２４】図２２に示す漁船の簡略化した部分断面側面図であり、軸方向に回転可能な複数のゲートは完全開位置にあり、餌が第２の外側ゲートに隣接して放出されて、第１の外側ゲート、第２の外側ゲート、および回転可能なゲートにより構成される船のエンクロージャの中に入り、また、魚がエンクロージャの中に入る。
【図２５】第６の実施形態による漁船の簡略化した上面図であり、内部ゲート機構および摺動可能な複数の内部ゲートを示し、複数の内部ゲートは完全上昇位置にある。
【図２６】図２５に示す漁船の側面図であり、漁船は一部沈水している。
【図２７】図２５に示す漁船の線２７-２７に沿った簡略化した部分断面側面図であり、複数の内部ゲートの１つが、ウインチに接続されて、途中下降位置にある。
【図２８】図２７に示す漁船の簡略化した部分断面側面図であり、複数の内部ゲートの上記の１つが、完全下降位置にあり、内部ゲート機構の一対の離間したブラケットに取り付けられて、漁船のエンクロージャに沿ってウインチにより動かされている過程にある。
【図２９】図２８に示す漁船の線２９‐２９に沿った部分概略断面図であり、内部ゲート機構の一対のブラケットをより詳細に示している。
【図３０】図２８および２９に示す複数の内部ゲートのうち１つの端面、および、複数の内部ゲートの上記の１つを受ける内部ゲート機構の一対のブラケットの端面の図である。
【図３１】図２５〜３０に示す漁船の簡略化した部分断面側面図であり、複数の内部ゲートは、完全下降位置にあり、エンクロージャ内で摺動調整されて、これにより、捕獲した魚を区分している。
【図３２】第７の実施形態による漁船の簡略化された正面図であり、壁の形態をした外側ゲートを備える。
【発明を実施するための形態】
【００１０】
図１を参照すると、漁船５０が示されている。図２に示すように、本実施形態における船５０は、一対の細長いポンツーンを備える多胴船であり、この例では、船の左舷４７に配置されたポンツーン５４と、第１のポンツーン５４から離間したポンツーン５６とを備える。ポンツーン５６は船の右舷４９に配置されており、右舷４９は左舷４７の反対側にある。ポンツーン５４、５６は、これらのポンツーンの間に位置する空間８８を少なくとも部分的に取り囲んでいる。
【００１１】
再び図１を参照すると、船５０は、デッキ５５と、その上に設けられて船５０を制御および操舵するためのコックピット５２とを備えている。図４に最もよく示されているように、船５０は、一対のモータ５１を有しており、これらは船５０を推進する一対のプロペラ５３にそれぞれ作動可能に接続されて、それを駆動する。一対のプロペラ５３は、船５０の船尾５８において、ポンツーン５４、５６上にそれぞれ配置されている。プロペラ５３、モータ５１、および船５０の関連する舵取り機構は、すべて当業者によく知られている通常のものである。従って、それらについてのさらに詳細な説明は行わない。船外モータなど他の推進手段で置き換えることもできる。
【００１２】
図６に船５０の上面を示している。図７は、船５０の端断面図であり、ポンツーン５４、５６が少なくとも部分的に中空であり、それぞれ内部１２０、１２２を有していることを示している。
【００１３】
図１、２、４、および７は、低抵抗モードにある船５０を示しており、このとき、ポンツーンは実質的に水より上に引き上げられている。
【００１４】
船５０は、ポンツーン内の水６３の量、ひいては船５０が水６１に浸かる程度を選択的に制御するための一対のバラスト制御機構１２１、１２３を備えている。図７は、浮揚モードにある一対のバラスト制御機構１２１、１２３を示している。
【００１５】
バラスト制御機構１２１、１２３は、一対のポンツーンを選択的に水６１に沈めるための手段を有しており、それは、この例では、モータ駆動の一対のフランジ１２４、１２６の形態をしている。例として図８に最もよく示されているように、フランジ１２６は、この例では模式的に示すモータ１２８であるアクチュエータに作動可能に接続されている。モータ１２８は、この例では、ポンツーン５６に取り付けられている。フランジ１２６およびモータ１２８は、フランジ１２６を図７および８に示す閉位置から図９および１０に示す開位置に選択的に動かすことができるように構成されている。フランジ１２６は、ポンツーン５６の側部の開口部１２９に密閉可能に広がるような形状になっている。
【００１６】
開位置では、開口部１２９は露出しており、このため、矢印３３で示すように水６１がポンツーン５６の内部１２２に進入することができる。このように、フランジ１２６が開位置にあるときには、水６１がポンツーン５６の内部１２２につながる。ポンツーン５６は、その内部１２２に連通する通路１２７を有し、これは水６１から上方に離間してデッキ５５に隣接する位置にあり、これにより、水６１が内部１２２を満たすにつれて、ポンツーン５６の内部１２２から空気が出ていくことが可能である。こうして、船５０のバラストが増加して、船は、矢印１３７で示すように、図９で見て下向きに沈んで、だんだん沈水していく。図９は、沈水モードにある一対のバラスト制御機構１２１、１２３を示している。
【００１７】
船５０のオペレータが船５０の沈水の程度に満足したら、フランジ１２６をモータ１２８により駆動して、図７および８に示す閉位置にフランジ１２６を戻す。これにより、開口部１２９は塞がれる。このような位置にあるフランジ１２６は、ポンツーン５６内への水６１の進入を阻止する。
【００１８】
ポンツーン５４のフランジ１２４、そのモータ１３０、開口部１３１、および通路１３５は、ポンツーン５６の同等の構成要素と実質的に同様に機能するので、詳細な説明は行わない。
【００１９】
図９を参照すると、バラスト制御機構１２１、１２３は、さらに、ポンツーン５４，５６の内部１２０、１２２にそれぞれ配置された一対のバラスト・ポンプ１３６、１３８を有している。バラスト・ポンプ１３６、１３８は、船５０の船底７４の近くに配置されている。導管１４０、１４２が、それぞれポンプ１３６、１３８に作動可能に接続されて、それぞれ開口部１４４、１４６まで延びている。開口部１４４、１４６は、この例ではデッキ５５に隣接した位置にあって、水６１から離間しており、外気と連通している。
【００２０】
このため、稼働時に、ポンプ１３６、１３８を駆動して、それぞれ水６３を、ポンツーン５４、５６の内部１２０、１２２から、導管１４０、１４２を介して開口部１４４、１４６へ、ひいては船５０の外へ送ることができる。フランジ１２４、１２６が閉位置にあるときに、そのようにポンプ１３６、１３８を作動させると、バラストを選択的に減少させることができ、これにより、図１、２、４および７に示すように船５０が再び低抵抗モードになるまで浮力を増加させることができる。
【００２１】
つぎに、船５０のゲートについて説明する。図３に最もよく示されているように、船５０は、この例では第１の外側ゲート６８である第１のゲートを備えている。この例では、第１の外側ゲート６８は、網７０と、この例では矩形フレーム７２であるフレームとを有している。網７０の大きさは、捕獲する魚や海洋生物の種類に応じて決めることができる。フレーム７２は、網７０に接続されて、それを適切な位置に保持している。フレーム７２は、図２に示すように、船５０の頂上部７６に隣接して配置可能な上端部７３を有している。再び図３を参照して、フレーム７２は、上端部７３の反対側に下端部７５を有し、一対の離間したフレーム部７７が上端部７３と下端部７５との間に延びて、それらの双方に接続している。
【００２２】
図２を参照して、船５０は、船５０の船首６２近くに配置された第１のゲート機構６０を備えている。第１のゲート機構６０は、この例ではブラケット６４、６６である一対の離間した垂直サポートを有しており、これらは図２で見ると垂直である。ブラケット６４、６６は、この例では、船５０の船底７４から船５０の頂上部７６に向かって延びている。ブラケット６４は、船の左舷４７に沿ってこれに隣接して配置されて、ポンツーン５４に接続されている。ブラケット６６は、船の右舷４９に沿ってこれに隣接して配置されて、ポンツーン５６に接続されている。ブラケット６４、６６は、図６に最もよく示されているように、チャネル、すなわちＵ字型断面を有している。ブラケット６４、６６は、第１の外側ゲート６８を摺動可能に受け取るような形状になっており、ゲートを受け取るためのスロット６７、６９をそれぞれ有している。
【００２３】
第１のゲート機構６０は、図１および２に最もよく示されているように、この例では船５０の頂上部７６に配置されている横材７８を有している。図６では、ブラケット６４、６６の断面形状が見えるようにするため、横材７８を省略している。図２に示すように、横材７８は、ブラケット６４、６６の間に延びて、これらの双方に接続されている。
【００２４】
図１２を参照して、一対の滑車８０が、横材７８に取り付けられている。船５０は、ロープを備え、それは、この例では一端で第１の外側ゲート６８のフレーム７２の上端部７３に接続されている２本のロープ８２のセットである。ロープ８２は、一対の滑車８０を通っている。
【００２５】
ロープ８２が引き上げられるか、あるいは巻き取られると、第１の外側ゲート６８がブラケット６４、６６に沿って摺動し、図１２に示す位置から図２に示す完全上昇位置まで上に引き上げられる。例えば、船が漁を行っていないとき、および／または最初に漁の目的地まで移動するときには、船の抵抗を減らすため、完全上昇位置にあることが望ましい。
【００２６】
ロープ８２が選択的に解放されると、矢印８４、８６で示すように、第１の外側ゲート６８が、図１１および１２で見て下向きに降下して、図１２に示す完全下降位置に達する。完全下降位置では、第１の外側ゲート６８の下端部７５が、船５０の船底７４に隣接して、ポンツーン５４、５６の間に延在する。つまり、図２に示すように、第１の外側ゲート６８は、空間８８への開口部８３に広がり、この開口部８３は船の船首６２において一対のポンツーン５４、５６の間にある。このようにして、空間８８内にいる魚類などが船５０の船首６２にある開口部８３を通ってそこから抜け出すことを阻止するように、網７０が配置される。
【００２７】
図４を参照すると、船５０は、船の船尾５８近くに第２のゲート機構９０を備えている。第２のゲート機構９０は、船５０の頂上部７６から船５０の船底７４まで延びる一対の離間したブラケット９４、９６を有している。第２のゲート機構９０は、船５０の頂上部７６に沿って配置された横材９８を有し、これはブラケット９４、９６の間に延びて、これらに接続されている。船５０は、この例では第２の外側ゲート１００である第２のゲートを備え、これは、フレーム１０２と、フレーム１０２に取り付けられてこれにより適切な位置に保持されている網１０４とを有している。
【００２８】
図１および４の両方を参照すると、一対の離間した滑車１０６が横材９８に取り付けられている。２本のロープ１０８のセットが、滑車１０６を通って、第２の外側ゲート１００にそのフレーム１０２を介して作動可能に接続している。第２のゲート機構９０および第２の外側ゲート１００は、その構成および機能が、第１のゲート機構６０および第１の外側ゲート６８と実質的に同様であり、このため、さらに詳しい説明は行わない。
【００２９】
船５０は、例えば図４に示すように、この例では第３の外側ゲート１１０である第３のゲートを備えている。ゲート１１０は、単一かつ一体の壁部材を有している。しかしながら、他の実施形態において、例として、例えば図３のゲート６８に示すような、網を取り囲んでこれを適切な位置に保持するフレーム部を有していてもよい。第３の外側ゲート１１０は、図４に示す位置で船５０の頂上部７６に向かって延在し、第１の端部１１２を有している。図４では、第３の外側ゲート１１０を完全上昇位置で示している。第３の外側ゲートは、第１の端部１１２と反対側に第２の端部１１４を有している。第３の外側ゲート１１０の第２の端部１１４は、船５０の船底７４に隣接して、また、この例ではポンツーン５６に隣接して配置されている。第３の外側ゲート１１０は、ポンツーン５４、５６の間に位置する開口部１１５に広がってこれを覆うように成形されている。開口部１１５は、船底７４近くで船５０の全長に沿って広がっている。この例では、ゲート１１０は、船首６２と船尾５８との間の船の略全長に渡って広がっている。
【００３０】
船５０は、第３のゲート機構１１６を備えており、これは、この例ではアクチュエータを有しており、アクチュエータは、この例では図５に模式的に示すモータ１１７である。モータ１１７は、ポンツーン５６に取り付けられて、第３の外側ゲート１１０の第２の端部１１４において第３の外側ゲート１１０に作動可能に接続されている。モータ１１７は、図１３に矢印１１８で示すように、図４で見ると左に、第３の外側ゲート１１０を下向きに選択的に回転させるように構成されている。
【００３１】
図１４は、完全下降位置にある第３の外側ゲート１１０を示している。第３の外側ゲート１１０は、ポンツーン５４、５６の間で船５０の船底７４の開口部１１５の全体に広がり、第３の外側ゲート１１０の端部１１２はポンツーン５４に当接している。このようにして、完全下降位置にある第３の外側ゲート１１０は、空間８８内にいる魚類などが、図１４で見ると下向きに、今は閉鎖されている開口部１１５を通って空間８８の外に抜け出し、船５０からいなくなることを阻止している。
【００３２】
第３の外側ゲート１１０は、例えば、船が漁を行っていないとき、および／または最初に漁の目的地まで移動するときには、図４に示す完全上昇位置まで、図１４で見ると上向きに、同様に引き上げてよい。完全上昇位置にある第３の外側ゲート１１０は、この例ではポンツーン５６に当接し、これにより船の抵抗を減らすように構成されている。
【００３３】
このように、低抵抗モードにある船５０を図１〜７に示しており、このとき、図７に最もよく示されるように、それぞれのポンツーン５４、５６の内部１２０、１２２には、水がないか、あるいは比較的少量の水しかない。このモードは、ポンツーン５４、５６による抵抗が比較的小さいので、漁が開始される前に船５０が漁の目的地まで移動しているときに、望ましい。
【００３４】
以上のことから、このような第１のゲート機構６０、第２のゲート機構９０、および第３のゲート機構１１６は選択的に開放することができ、これは、第１のゲート、第２のゲート、第３のゲートのうち少なくとも１つを選択的に開放または作動させる手段と言ってよい。
【００３５】
完全下降位置にある、第１の外側ゲート６８、第２の外側ゲート１００、および第３の外側ゲート１１０は、ポンツーン５４、５６と共に、空間８８の周囲にエンクロージャを形成しており、これは、その中に掛かった魚類などの捕獲、保持、保管を助けるものである。
【００３６】
以下、船５０での漁獲作業について説明する。漁を開始するためには、この例では、図９に示すようにフランジ１２４、１２６を開位置に動かすことにより、船５０を少なくとも部分的に沈水させる。部分的に沈水させたときの船５０を、図９および１１に示している。
【００３７】
つぎに第１の外側ゲート６８および第３の外側ゲート１１０を作動させて、この場合、それらが、図１２および１４にそれぞれ示すように完全下降位置になるまで、図１１および１３にそれぞれ示すように降下させる。
【００３８】
図１５は、ゲート６８、１１０を完全に降下させた船５０の部分断面側面図である。この例では、船５０は、この例では餌用ポンプ１４８であるポンプと、餌１５０とを備えている。餌用ポンプ１４８は、この例ではデッキ５５に接続されて、この例では第２の外側ゲート１００に隣接して配置されている。餌用ポンプ１４８は、船５０に隣接する水の中に、より具体的には第２の外側ゲート１００および空間８８に隣接させて、餌１５０を投入するように構成されている。餌１５０と魚１５２は、第３の外側ゲート１１０と、デッキ５５と、ポンツーン５６で示すようなポンツーンとの間で、船の船尾５８近くに位置する開口部８５を通り抜けて、空間８８に入ることができる。魚１５２は、餌１５０に引き寄せられて、第１の外側ゲート６８と、第３の外側ゲート１１０と、ポンツーン５６で示すようなポンツーンとにより構成されるエンクロージャ内に、捕捉されることになる。第２の外側ゲート１００を、図１５および１６に示すように選択的に降下させてよく、これにより、魚１５２が船５０の空間８８内に閉じ込められる。その後、船５０は、魚を、効果的には冷えた、新鮮な、さらに／または生きた状態に水の中で保ちながら、港または予定の市場に戻り得る。
【００３９】
代替案として、抵抗を減らすために、図９に示すようなバラスト・ポンプ１３６、１３８を作動させて、ポンツーン５４、５６内に含まれる水を排出させることにより、船のバラストを低減させることができ、これにより、船５０は低抵抗モードに戻される。この場合、そこに捕獲されている魚は、水の中に浸かったままであっても、そうでなくてもよい。水を空間８８から排出させてもよい。
【００４０】
図１７は、第２の実施形態による多胴船の簡略化した部分断面側面図である。図１の実施形態と類似の部分は、“．１”を付加して同様の番号とし、同様に機能する。船５０．１は、餌用ポンプと餌の使用に代えて、船が複数の照明器具１５７を備えていることを除いて、図１〜１６に示す船５０と実質的に同じものである。この例では、照明器具１５７は、デッキ５５．１の底に取り付けられて、第１の外側ゲート６８．１、第３の外側ゲート１１０．１、および第２の外側ゲート１００．１によって少なくとも部分的に囲まれた空間８８．１に面するように配置されている。照明器具１５７は、空間８８．１に向けて光１５５を注ぎ、この光１５５により空間を少なくとも部分的に照らす。魚１５２は、光１５５に引き寄せられて、泳いで開口部８５．１を通って空間８８．１内に入り、そしてその後、魚１５２を閉じ込めるために、第２の外側ゲート１１０．１を閉じてよい。
【００４１】
図１８は、第３の実施形態による多胴船の簡略化した部分断面側面図である。図１の実施形態と類似の部分は、“．２”を付加して同様の番号とし、同様に機能する。船５０．２は、餌用ポンプと餌の使用に代えて、魚１５２を引き寄せるのに役立てるため、この例では追加の船１５６である追加の浮体を採用していることを除いて、図１〜１６に示す船５０と実質的に同じものである。追加の船１５６は、その上に取り付けられた照明器具１５８を備えている。照明器具１５８は、光１６０を空間８８．２に向けて注ぎ、その少なくとも一部が開口部８５．２を通って空間に達するように、構成されている。これにより、空間８８．２が少なくとも部分的に照らされる。魚１５２は、光１６０に引き寄せられて、泳いで開口部８５．２を通って空間８８．２内に達し、これらは、第２の外側ゲート１００．２を降下させることにより、完全に閉じ込めてよい。
【００４２】
図１９〜２１は、第４の実施形態による船の端断面図である。図１の実施形態と類似の部分は、“．３”を付加して同様の番号とし、同様に機能する。船５０．３は、それが多胴型カタマランではなく船体１５９を有する単胴船であることを除いて、図１〜１６に示す船５０と実質的に同じものである。また、第３の外側ゲートはなく、船５０．３の略全長に沿って船５０．３の船底７４．３に広がる固定の底壁１６２を有している。バラスト制御機構１２１．３、１２３．３は、前述のように、選択的に船を図２０に示すように少なくとも部分的に沈水させるように調整可能なフランジ１２４．３、１２６．３によって、作動する。船５０．３の第１の外側ゲート（図示せず）と第２の外側ゲート（図示せず）、および、その餌および／または照明を用いる漁獲作業は、先の実施形態に関して説明したようなものであるので、さらに詳しい説明は行わない。図２１に示すように魚１５２を捕獲したら、バラスト・ポンプ１３６．３、１３８．３を作動させて、矢印１５６で示すように、船５０．３の船体内部１５４から外へ選択的に水を送り出すことができる。これによって、船のバラストが低減し、船は、矢印１５８で示すように、図２１で見ると上向きに、低抵抗モードに向けて上昇する。
【００４３】
図２２〜２４は、第５の実施形態による多胴船を示しており、図２２および２４は、その簡略化した部分断面側面図であり、図２３はその部分概略底面図である。図１の実施形態と類似の部分は、“．４”を付加して同様の番号とし、同様に機能する。船５０．４は、１つの第３の外側ゲート１１０に代えて、軸方向に回転可能な複数のゲート１６０が設けられていることを除いて、図１〜１６に示す船５０と実質的に同じものである。
【００４４】
ゲート１６０の各々は、枢動ロッド１６４に接続された壁部１６２を有している。この例では、壁部１６２は中央で枢動ロッド１６４に接続されているが、このことは必須ではない。図２３を参照すると、枢動ロッド１６４は、それぞれ軸受１６５に接続されており、これらの軸受は、この例ではポンツーン５４．４内に取り付けられている。ゲート１６０の各々は、それぞれモータ１６６に作動可能に接続されている。モータ１６６を模式的に示している。モータ１６６は、この例ではポンツーン５６．４に取り付けられている。モータ１６６は、枢動ロッド１６４を介して、壁部１６２を選択的に作動、つまり回転させてよい。
【００４５】
図２２および２３は、ゲート１６０を閉位置で示している。このモードでは、空間８８．４内に掛かった魚は、ゲート１６０を通り抜けることを阻止される。図２４は、完全な開位置にあるゲート１６０を示している。漁を行うときには、この例では第２の外側ゲート１００．４に隣接した水の中に、餌１５０．４を投入してもよく、餌は、その後、漂って空間８８．４内に入る。効果的なことに、この実施形態では、船５０．４の船尾５８．４近くの開口部８５．４と、船５０．４の船底７４．４近くの開口部１１５．４と、その両方を通じて、魚１５２が空間８８．４に入ることができる。このことによって、魚１５２を船５０．４の中に捕獲することが、より容易となる。船５０．４の中に十分な魚１５２が捕獲されたら、図２２および２３に示すように、ゲート１６０を閉位置に戻して、第２の外側ゲート１００．４を作動させる、すなわち完全下降位置まで降下させる。
【００４６】
図２５〜３１は、第６の実施形態による多胴船を示している。図１の実施形態と類似の部分は、“．５”を付加して同様の番号とし、同様に機能する。船５０．５は、内部ゲート機構１６８と、複数の内部ゲートを備えていることを除いて、図１〜１６に示す船５０と実質的に同じものであり、この例では３つのゲート１７１、１７３、１７５を示している。内部ゲートは、魚押し込みゲートと呼んでよい。内部ゲート機構１６８は、この例では一対の離間した垂直サポート１７４、１７６である収納レセプタクルを備えており、それは、この例では図２６に関して垂直である。サポート１７４は、船の左舷４７近くに配置されて、ポンツーン５４．５に接続されている。サポート１７６は、船の右舷４９近くに配置されて、ポンツーン５６．５に接続されている。この例では、内部ゲート機構１６８のサポート１７４、１７６は、第２のゲート機構９０．５のブラケット９４．５、９６．５と、それぞれ一体である。この例では、一対の餌用ポンプ１４８．５が、図２６に最もよく示されているように船の頂上部７６．５近くで、サポート１７４、１７６にそれぞれ作動可能に接続されている。餌用ポンプ１４８．５は、第２の外側ゲート１００．５に隣接させて餌を選択的に放出するように構成されている。
【００４７】
サポート１７４、１７６は、内部ゲート１７１、１７３、１７５を摺動可能に受け取るような形状になっている。図２６は、完全上昇位置にある内部ゲート１７１、１７３、１７５を示している。
【００４８】
図２７に最もよく示されているように、内部ゲート機構１６８は、この例ではデッキ５５．５を貫通して延びる細長いスロット１７８であるアパーチャを備えている。細長スロット１７８は、必要に応じて内部ゲート１７１、１７３、１７５の各々が個別にその中を通り抜けることが可能な形状となっている。スロット１７８は、船５０．５が選択的に取り囲むことができる空間８８．５と連通している。
【００４９】
図２８および２９を参照して、内部ゲート機構１６８は一対の離間したブラケット１８８、１９０を有し、これらは、この例では内部ゲート１７１、１７３、１７５を摺動可能に受け取るものである。ブラケット１８８は、ポンツーン５６．５に作動可能に接続されて、デッキ５５．５に隣接している。ブラケット１９０は、ポンツーン５４．５に作動可能に接続されて、デッキ５５．５に隣接している。ブラケット１８８、１９０は、図２７に示す細長スロット１７８をちょうど通り過ぎたところから、この例では第１の外側ゲート６８．５に隣接するところまで延びている。図３０に最もよく示されているように、ブラケット１８８、１９０は、この例では断面が略Ｕ字形である。
【００５０】
一例による内部ゲート１７１の端面を図３０に示している。内部ゲート１７１は、この例では網１７９を有し、さらに、この例では網１７９に接続されてこれを適切な位置に保持する矩形フレーム１８０であるフレームを有している。この例では、フレーム１８０は、船の頂上部に隣接させて配置可能な上端部１８２を有している。フレーム１８０は、この例では離間した突起部１９２、１９４である一対の接続部を備えている。この例では、突起部１９２、１９４は、フレーム１８０の上端部１８２の両端に沿って配置されている。フレーム１８０は、この例では上端部１８２に接続されてそこから延出しているアイ１９１であるウインチ・コネクタを備えている。ブラケット１８８、１９０は、突起部１９２、１９４をそれぞれ摺動可能に受け取るような形状になっている。フレーム１８０は、上端部１８２の反対側に下端部１８４を有している。フレーム１８０は、上端部１８２と下端部１８４との間に延在して双方に接続している一対の離間した側部１８６を有している。
【００５１】
内部ゲート機構１６８は、図２７、２８、および２９に示すようにウインチ１９６を備えており、さらに、内部ゲート１７１、１７３、１７５に選択的に接続されてこれらを位置決めするためのロープ１９８を備えている。ロープ１９８は、図３０と図２８の組み合わせで示すように、内部ゲート１７１のアイ１９１に接続可能である。ロープ１９８は滑車２００を通っており、この滑車は、図２８で見てデッキ５５．５から下方に延びる突出部２０２により支持されている。ロープ１９８は、この例では、ウインチ１９６に巻回される前にさらに別の滑車２０４を通っている。ウインチは、それ自体、当業者に知られているものであり、このため、さらに詳しい説明は行わない。
【００５２】
図２７を参照すると、漁獲のための稼働時には、第１の外側ゲート６８．５および第３の外側ゲート１１０．５が、図１〜１６に示す船５０について説明したのと略同様にして、その完全下降位置にされる。餌用ポンプ１４８．５により、開口部８５．５に隣接する水の中に餌１５０．５が投入され、魚が餌１５０．５に引き寄せられて、開口部８５．５を通り抜け、船の空間８８．５内にある程度閉じ込められた状態になる。ロープ１９８を内部ゲート１７１のアイ１９１に接続する。内部ゲート１７１を、細長スロット１７８に位置合わせし、矢印２０６で示すように、図２７で見て下向きに降下させる。
【００５３】
つぎに図２８を参照すると、これは完全下降位置にある内部ゲート１７１を示している。ウインチ１９６が矢印２０８で示すように駆動され、これにより、ロープ１９８は巻き取られて、図２８で見て空間８８．５内で左側に少なくとも部分的に動く。図３０を参照すると、突起部１９２、１９４が、ブラケット１８８、１９０にそれぞれ位置合わせされて、これらにより摺動可能に受け取られる。こうして、内部ゲート１７１は、ウインチ１９６の作動により、ブラケット１８８、１９０に沿って摺動する。このように、内部ゲート１７１は、複数の区画２１０、２１２、２１４で、図３１に示すように魚を区分するように機能することができる。１つの内部ゲート１７１が所望の位置に配置されると、図３１で見てゲート１７１の左側の魚が、第１の外側ゲート６８．５と、第３の外側ゲート１１０．５と、内側ゲート１７１と、ポンツーン５６．５との間で、区画２１０内に閉じ込められる。漁を再開することができ、そして、船５０．５の空間８８．５がすべて取り囲まれるまで、さらなる内部ゲート１７３、１７５を例えばさらなるロープを用いて順に降下させることができ、最後に、第２の外側ゲート１００．５を完全下降位置まで降下させて、これにより開口部８５．５を塞ぐ。
【００５４】
図２５〜３１に示すような、内部ゲート機構１６８および内部ゲート１７１、１７３、１７５を備える船５０．５は、捕獲した魚を例えば区画２１０内でまとめてぎっしり詰めた状態にすることを可能にするという利点をもち、これによって、さらなる魚の捕獲のために使用可能な残りの空間が最大化される。船５０．５は、このようにして、１回の出漁で捕獲することができる魚の数が増加するという利点を提供し得る。また、船５０．５は、船のユーザが、分離しなければ互いに妨害したり、危害を加えたり、あるいは共食いの恐れのある、異なる獲物や種類の異なる魚を分離することを可能にするという利点をもつ。
【００５５】
図３２は、第７の実施形態による多胴船を示している。図１の実施形態と類似の部分は、“．６”を付加して同様の番号とし、同様に機能する。船５０．６は、フレームと網に代えて、その第１の外側ゲート６８．６で例示されるゲートが連続壁２１６を有していることを除いて、図１〜１６に示す船５０と実質的に同じものである。同様に、第２の外側ゲートも、フレームと網に代えて、壁部を有してもよい。
【００５６】
本明細書で記載される発明の範囲内で多くの変形が可能であることは、当業者であれば理解できるであろう。本明細書で記載する様々な実施形態において、餌および／または照明器具のあらゆる組み合わせを採用してよい。例えば、本開示は、餌を第２の外側ゲート１００に隣接させて放出するために、これに隣接して餌用ポンプ１４８を配置することを教示している。これに加えて、さらに／または、これに代えて、餌用ポンプ１４８を第１の外側ゲート６８に隣接して配置してよい。この場合、魚が入ってくる間、第２の外側ゲートを閉じたままとするか、あるいは、魚が入る間、第１の外側ゲートと第２の外側ゲートの両方を開いたままとし、その後、魚を捕獲するために両方のゲートを閉じるか、どちらかとしてよい。上記の構成はいずれも、さらに多くの魚を引き寄せるための照明器具といくつでも組み合わせてよい。
【００５７】
さらに別の変形例では、例えばそこを通して餌を放出するためのアパーチャをデッキ５５に設けることにより、あるいは、例えば空間８８内に餌用ポンプ１４８が配置されるように餌用ポンプ１４８をデッキ５５に取り付けることにより、餌を空間８８内に直接放出してよい。さらに別の変形例では、そのような餌の放出構成を、前段落で提示したものと組み合わせてよく、さらに／または、さらに多くの魚を引き寄せるための照明器具構成といくつでも組み合わせてよい。
【００５８】
船体内部１５４に魚を引き寄せるための手段は、餌と餌用ポンプのこれらの構成およびその他の構成、および／または照明器具の構成のものとしてよい。
【００５９】
上記実施形態では、第１のゲート機構、第２のゲート機構、および内部ゲート機構は、それぞれ第１の外側ゲート、第２の外側ゲート、および内部ゲートを受け取るためのブラケットを有するが、これに代えて、ゲートのフレーム自体をブラケットのような形状とし、これをゲート機構のフレーム部を介してゲート機構に摺動可能に取り付けてもよい。
【００６０】
第１のゲート機構６０、第２のゲート機構９０、および内部ゲート機構１６８では、一対のブラケットについて述べているが、これに代えて、同じ効果を得るのに機構ごとに１つのブラケットのみ用いることができる。
【００６１】
ブラケットの代わりに、一連のローラを用いて、ゲートを閉位置から開位置に操作することができる。
【００６２】
内部ゲート機構１６８は、代替案として、船尾ではなく船の船首に向けて配置してもよい。さらに別の代替案では、船は、船首と船尾の近くにそれぞれ配置される一対の離間した内部ゲート機構を、その中に取り付けられて船首および／または船尾からの摺動が可能である複数の内部ゲートと共に、備えてもよい。
【００６３】
アイ１９１は、それ自体、必須のものではない。例えば、ロープ１９８を結び付けることにより、例えばフレーム１８０の上端部１８２に接続することができる。
【００６４】
図２２〜２４に示す軸方向に回転可能な複数のゲート１６２は、横方向に配置されて、各々が一方のポンツーンから他方のポンツーンまで延びるように取り付けられている。代替案では、軸方向に回転可能な複数のゲートを長手方向に配置して、ポンツーンに平行に延びるように取り付けてもよい。つまり、ゲートは、それぞれに船の船首から船の船尾に向かって延びるように配置してもよい。船首と船尾のどちらか一方に隣接する横材が、ポンツーンにまたがるように延在し、その上の取り付けられた複数の軸受を備えてもよい。同様に、船首と船尾のうちの他方に隣接するさらに別の横材が、ポンツーンにまたがるように延在し、その上の取り付けられた複数のモータを備えてもよく、これらのモータは、そのように配置された複数のゲートを選択的に作動または回転させるためのものである。
【００６５】
図２２〜２４に示す軸方向に回転可能な複数のゲート１６２は、図１９〜２１に示す単胴船５０．３と組み合わせることができる。さらに別の変形例では、軸方向に回転可能なゲート１６２を、フランジ１２４．３、１２６．３とモータ１３０．３、１２８．３が不要になったことを除いて図１９〜２１に示すものと類似している単胴船と組み合わせてもよい。これは、ゲート１６２が、必要に応じて、船を選択的に一部沈水させるように、船の内部への水の取り込みを選択的に調整可能な場合があるためである。さらに別の代替案では、第１のゲート機構と第２のゲート機構をさらに除くことができ、この場合、魚は、船の内部に放出された餌および／または光のいずれかに引き寄せられて、軸方向に回転可能なゲートを通って選択的に船の内部に入る。
【００６６】
図１９〜２１に示す船５０．３のさらに別の変形例では、フランジ１２１．３、１２３．３の代わりに、船５０．３は、図１〜１６で述べたような第３の外側ゲートを採用してもよく、これは、部分的に開くように選択的に駆動されて、水６１が船体内部１５４に入ることを可能とし、これにより、漁獲のために船を降下させる。
【００６７】
図２２〜２４に示す実施形態の変形例では、餌の代わりに、および／または、餌に加えて、照明器具を用いてもよく、これは、例えば図１７および１８に示すように、やはり魚を引き寄せるためのものである。また、壁部１６２の代わりに、図３に示すものに類似した、フレームとその間に広がる網とを有する複数のゲートを用いてもよい。
【００６８】
船の様々な実施形態のいずれにおいても、必要に応じて、ならびに／または、さらなるバラスト制御および／もしくは安全が求められる場合に、浮揚デバイスをさらに設計に組み込んでもよい。
【００６９】
上記の説明では魚の捕獲について開示したが、当然のことながら、本明細書に記載の漁船は、クジラ、イカ、エビ、イワシ、サバなどを含む、商業的関心および／または科学的関心の対象である多くの他の種類の海洋生物を捕獲するのに用いることもできる。
【００７０】
第１のゲート機構６０と第１の外側ゲート６８、第２のゲート機構９０と第２の外側ゲート１００、および第３のゲート機構１１６と第３の外側ゲート１１０は、既存の漁船および／または既存のカタマラン船に組み込み可能なものであってよい。
【００７１】
一例において、船は、５０メートルの長さと２５メートルの幅を有し、ポンツーンが図２に関してデッキ５５から下方に２０メートルの距離まで延びてもよい。あるいは、船は、例えば３００メートルの長さと１５０メートルの幅を有してもよい。これらの寸法は、単なる例として提示されるにすぎない。
【００７２】
上記で提示した詳細の多くは、単なる例であって、発明の範囲を限定するものではなく、発明の範囲は以下の請求項に基づいて決められるべきであることは、当業者であれば理解できるであろう。
【図１】
2012533466.tif 000003
【図２】
2012533466.tif 000004
【図３】
2012533466.tif 000005
【図４】
2012533466.tif 000006
【図５】
2012533466.tif 000007
【図６】
2012533466.tif 000008
【図７】
2012533466.tif 000009
【図８】
2012533466.tif 000010
【図９】
2012533466.tif 000011
【図１０】
2012533466.tif 000012
【図１１】
2012533466.tif 000013
【図１２】
2012533466.tif 000014
【図１３】
2012533466.tif 000015
【図１４】
2012533466.tif 000016
【図１５】
2012533466.tif 000017
【図１６】
2012533466.tif 000018
【図１７】
2012533466.tif 000019
【図１８】
2012533466.tif 000020
【図１９】
2012533466.tif 000021
【図２０】
2012533466.tif 000022
【図２１】
2012533466.tif 000023
【図２２】
2012533466.tif 000024
【図２３】
2012533466.tif 000025
【図２４】
2012533466.tif 000026
【図２５】
2012533466.tif 000027
【図２６】
2012533466.tif 000028
【図２７】
2012533466.tif 000029
【図２８】
2012533466.tif 000030
【図２９】
2012533466.tif 000031
【図３０】
2012533466.tif 000032
【図３１】
2012533466.tif 000033
【図３２】
2012533466.tif 000034
【国際調査報告】
2012533466.tif 000035
2012533466.tif 000036